(57)【要約】【課題】電子機器に接続される外付け素子を備えると共に、外付け素子のみならず、電子機器に元々備わっている内蔵素子も活用できる電子機器用カバー部材を提供する。【解決手段】スマートフォンＳＭに取り付けられる収容体１０に、スマートフォンＳＭのイヤホンジャックＥＪを外部に開放する貫通孔１３が形成されている。収容体１０は、外付け素子としての骨伝導スピーカ５０及び６０と、一端部が貫通孔１３の内面に露出し、他端部が骨伝導スピーカ５０及び６０に接続された導電性部材としての導線群７０及び８０とを保持している。貫通孔１３とイヤホンジャックＥＪに対して、栓部材が嵌合可能である。栓部材は、貫通孔１３及びイヤホンジャックＥＪに嵌合されたとき、イヤホンジャックＥＪから骨伝導スピーカ５０及び６０に至る電気信号の伝送路を、導線群７０及び８０と共に構成する。【選択図】図２
2018014576.tif 000002
【特許請求の範囲】
【請求項１】
外面に外部端子を有する電子機器に取り付けられ、前記外部端子を外部に開放する貫通孔が形成されたカバー本体と、
前記カバー本体に保持されており、前記電子機器が前記外部端子を通じて出力する電気信号に基づいて作動可能な外付け素子と、
前記カバー本体に保持されており、一端部が前記貫通孔の内面に露出し、他端部が前記外付け素子に接続され、前記電気信号を伝送可能な導電性部材と、
前記貫通孔を介して前記外部端子に対して嵌合及び抜去が可能であり、前記貫通孔を介して前記外部端子と嵌合されたときに、前記外部端子を前記導電性部材の前記一端部に導通させることにより、前記外部端子から前記外付け素子に至る前記電気信号の伝送路を前記導電性部材と共に構成する栓部材と、
を備える電子機器用カバー部材。
【請求項２】
前記導電性部材が、
前記一端部を構成する複数の板部材であって、各々導電性を有すると共に、互いに絶縁された状態で、前記貫通孔の深さ方向に配列された複数の板部材と、
前記板部材の各々を前記外付け素子に接続する導線群と、
を有する請求項１に記載の電子機器用カバー部材。
【請求項３】
前記板部材の各々が、前記貫通孔の内面に全周にわたって露出している、
請求項２に記載の電子機器用カバー部材。
【請求項４】
前記外部端子が、凹部を有する雌端子であり、
前記栓部材が、
前記貫通孔と嵌合する基部と、
前記基部から突出し、前記凹部と嵌合する雄端子部と、
を有する請求項１に記載の電子機器用カバー部材。
【請求項５】
前記基部が、円筒状をなす、
請求項４に記載の電子機器用カバー部材。
【請求項６】
前記外部端子が、イヤホンジャックである、
請求項１に記載の電子機器用カバー部材。
【請求項７】
前記貫通孔の開口径が、前記イヤホンジャックの開口径より大きく、
イヤホンプラグが前記貫通孔を介して前記イヤホンジャックに挿入されたとき、前記貫通孔の内面と前記イヤホンプラグとの間に隙間が確保される、
請求項６に記載の電子機器用カバー部材。
【発明の詳細な説明】
【技術分野】
【０００１】
本発明は、電子機器用カバー部材に関する。
【背景技術】
【０００２】
特許文献１に開示されるように、携帯電話に取り付けられるカバー部材が知られている。このカバー部材は、携帯電話のイヤホンジャックに挿入されるプラグと、このプラグに接続された骨伝導スピーカとを備える。骨伝導スピーカは、携帯電話がイヤホンジャックを通じて出力する電気信号に基づいて作動する。
【先行技術文献】
【特許文献】
【０００３】
【特許文献１】国際公開第２０１３／１０８４２６号（図１２８参照）
【発明の概要】
【発明が解決しようとする課題】
【０００４】
特許文献１のカバー部材は、上記プラグがイヤホンジャックに挿入された状態で携帯電話に取り付けられる。この為、携帯電話が、上記電気信号を常に骨伝導スピーカに出力する状態となる。従って、携帯電話に接続された外付け素子としての骨伝導スピーカは活用できるが、携帯電話に元々備わっているスピーカ等の内蔵素子が活用できない。
【０００５】
なお、このような問題は、カバーする対象が携帯電話である場合に限らず、他の電子機器である場合にも同様に生じうる。
【０００６】
本発明の目的は、電子機器に接続される外付け素子を備えると共に、外付け素子のみならず、電子機器に元々備わっている内蔵素子も活用できる電子機器用カバー部材を提供することである。
【課題を解決するための手段】
【０００７】
上記目的を達成する為に、本発明の電子機器用カバー部材は、
外面に外部端子を有する電子機器に取り付けられ、前記外部端子を外部に開放する貫通孔が形成されたカバー本体と、
前記カバー本体に保持されており、前記電子機器が前記外部端子を通じて出力する電気信号に基づいて作動可能な外付け素子と、
前記カバー本体に保持されており、一端部が前記貫通孔の内面に露出し、他端部が前記外付け素子に接続され、前記電気信号を伝送可能な導電性部材と、
前記貫通孔を介して前記外部端子に対して嵌合及び抜去が可能であり、前記貫通孔を介して前記外部端子と嵌合されたときに、前記外部端子を前記導電性部材の前記一端部に導通させることにより、前記外部端子から前記外付け素子に至る前記電気信号の伝送路を前記導電性部材と共に構成する栓部材と、
を備える。
【０００８】
前記導電性部材が、
前記一端部を構成する複数の板部材であって、各々導電性を有すると共に、互いに絶縁された状態で、前記貫通孔の深さ方向に配列された複数の板部材と、
前記板部材の各々を前記外付け素子に接続する導線群と、
を有していてもよい。
【０００９】
前記板部材の各々が、前記貫通孔の内面に全周にわたって露出していてもよい。
【００１０】
前記外部端子が、凹部を有する雌端子であり、
前記栓部材が、
前記貫通孔と嵌合する基部と、
前記基部から突出し、前記凹部と嵌合する雄端子部と、
を有していてもよい。
【００１１】
前記基部が、円筒状をなしていてもよい。
【００１２】
前記外部端子が、イヤホンジャックであってもよい。
【００１３】
前記貫通孔の開口径が、前記イヤホンジャックの開口径より大きく、
イヤホンプラグが前記貫通孔を介して前記イヤホンジャックに挿入されたとき、前記貫通孔の内面と前記イヤホンプラグとの間に隙間が確保されてもよい。
【発明の効果】
【００１４】
本発明によれば、栓部材を電子機器の外部端子と嵌合させると、外部端子と導電性部材とが導通し、電子機器から外付け素子への電気信号の出力が可能となる為、外付け素子を活用できる。また、栓部材を外部端子から抜去すると、外部端子と導電性部材との導通が断たれる為、カバー本体を電子機器に取り付けたまま、電子機器に元々備わっている内蔵素子への電気信号の出力が可能となり、内蔵素子を活用できる。
【図面の簡単な説明】
【００１５】
【図１】実施形態に係るスマートフォン用カバー部材の分解斜視図である。
【図２】スマートフォンが嵌められた収容体の透視平面図である。
【図３】収容体の内部構造を示す部分破断斜視図である。
【図４】栓部材の外観を示す斜視図である。
【図５】（Ａ）は栓部材が嵌められた収容体の部分破断斜視図であり、（Ｂ）は栓部材が嵌められたカバー本体の外観図である。
【図６】栓部材が嵌められたカバー本体とイヤホンジャックの概念図である。
【図７】（Ａ）はイヤホンプラグが嵌められたカバー本体とイヤホンジャックの概念図であり、（Ｂ）はイヤホンジャックが嵌められたカバー本体の外観図である。
【発明を実施するための形態】
【００１６】
以下、図面を参照し、電子機器がスマートフォンである場合を例に挙げて、本発明の一実施形態について説明する。図中、同一又は対応する部分に同一の符号を付す。
【００１７】
図１に示すように、本実施形態に係るスマートフォン用カバー部材１００は、電子機器としてのスマートフォンＳＭに取り付けられるカバー本体３０と、カバー本体３０及びスマートフォンＳＭに対して着脱可能な栓部材４０とを備える。
【００１８】
カバー本体３０は、スマートフォンＳＭの厚さ方向に関して、スマートフォンＳＭを両側から挟み込む収容体１０と蓋体２０とによって構成されている。収容体１０と蓋体２０は、共に樹脂で形成されている。
【００１９】
収容体１０は、平面視略矩形の枠状をなし、スマートフォンＳＭが収められる窪み部１１を有する。窪み部１１は、スマートフォンＳＭの裏面及び側面と接する。蓋体２０は、窪み部１１に収められたスマートフォンＳＭの表面及び収容体１０の側面に接する。蓋体２０は、スマートフォンＳＭの表示画面を外部から視認する為の透明部２１を有する。
【００２０】
収容体１０の側面には、係合部としての穴部１２が形成されている。一方、蓋体２０の、収容体１０の穴部１２に面する位置には、係合部によって係止される被係合部としての爪２２が形成されている。爪２２が穴部１２に入り込むことで、蓋体２０が、収容体１０と共にスマートフォンＳＭを挟み込んだ状態で、収容体１０に固定される。
【００２１】
スマートフォンＳＭは、その外面、具体的には側面に、外部端子としてのイヤホンジャックＥＪを有する。そして、収容体１０には、イヤホンジャックＥＪに面する位置に、貫通孔１３が形成されている。蓋体２０にも、貫通孔１３と重なる位置に、貫通孔２３が形成されている。蓋体２０が収容体１０に固定されたとき、貫通孔１３及び２３が、イヤホンジャックＥＪを外部に開放する。
【００２２】
以下、図２及び図３を参照し、収容体１０の内部構成について説明する。
【００２３】
図２に示すように、収容体１０は、スマートフォンＳＭの側面を取り囲む第１縦壁部１４、第２縦壁部１５、第１横壁部１６、及び第２横壁部１７を有する。これらの壁部１４〜１７は、各々スマートフォンＳＭの厚さ方向（図２の紙面に垂直な方向）に高さを有し、これらによって図１に示した窪み部１１が形成されている。
【００２４】
第１縦壁部１４と第２縦壁部１５は、各々スマートフォンＳＭの長さ方向（図２の上下方向）に延びており、互いにスマートフォンＳＭの、長さ方向に直交する幅方向（図２の左右方向）に対面している。第１横壁部１６と第２横壁部１７は、各々スマートフォンＳＭの幅方向に延びて第１縦壁部１４と第２縦壁部１５とを繋ぐと共に、互いにスマートフォンＳＭの長さ方向に対面している。
【００２５】
スマートフォンＳＭで通話する際は、例えば第１横壁部１６が、図１に示した蓋体２０を介して、ユーザの耳又はその周辺部に当てがわれる。そのとき第２横壁部１７は、ユーザの口の辺りに位置する。イヤホンジャックＥＪを外部に開放する貫通孔１３は、第２横壁部１７に形成されている。
【００２６】
また、収容体１０は、第１骨伝導スピーカ５０、第２骨伝導スピーカ６０、第１骨伝導スピーカ５０に接続された第１導線群７０、及び第２骨伝導スピーカ６０に接続された第２導線群８０を、内部に保持している。
【００２７】
第１骨伝導スピーカ５０と第２骨伝導スピーカ６０は、第１横壁部１６に埋め込まれている。第１骨伝導スピーカ５０と第２骨伝導スピーカ６０の各々は、スマートフォンＳＭがイヤホンジャックＥＪを通じて外部に出力する電気信号に基づいて作動可能な外付け素子としての圧電型振動素子を有する。
【００２８】
その圧電型振動素子は、圧電特性を示す材料（例えばＰＺＴ（チタン酸ジルコン酸鉛）等）から成る板状の圧電体と、その圧電体の対向する主面に配置される一対の電極とを含む。圧電型振動素子は、上記電気信号を担う電圧が電極に供給されると、圧電体の伸縮運動によって、第１横壁部１６ひいては図１に示すカバー本体３０の全体を振動させる。この振動は、カバー本体３０からユーザの頭蓋骨や耳軟骨といった頭部の骨組織に伝わり、音声としてユーザに聴取される。
【００２９】
第１導線群７０は、上記電気信号を担う電圧を伝送するものであり、第１骨伝導スピーカ５０の上記圧電型振動素子の電極に接続されている。そして、第１導線群７０は、第１骨伝導スピーカ５０から、第１縦壁部１４の内部を通って、第２横壁部１７における貫通孔１３の内面近傍まで延びている。
【００３０】
第２導線群８０も、上記電気信号を担う電圧を伝送するものであり、第２骨伝導スピーカ６０の上記圧電型振動素子の電極に接続されている。第２導線群８０は、第２骨伝導スピーカ６０から、第２縦壁部１５の内部を通って、第２横壁部１７における貫通孔１３の内面近傍まで延びている。
【００３１】
図３に示すように、貫通孔１３は、第２横壁部１７の、スマートフォンＳＭの側面に面する内面に開口した小径部１３ａと、第２横壁部１７の、外部に面する側面に開口した大径部１３ｂとで構成されている。小径部１３ａは、スマートフォンＳＭのイヤホンジャックＥＪに連通すると共に、大径部１３ｂをイヤホンジャックＥＪに連通させる。小径部１３ａの内径は、イヤホンジャックＥＪの開口径と略等しく、大径部１３ｂの内径より小さい。
【００３２】
大径部１３ｂの内面には、第１極用板部材９１、第２極用板部材９２、及び第３極用板部材９３が露出している。これら板部材９１〜９３は、導電性を有する素材、具体的には金属よりなり、各々大径部１３ｂの内面に全周にわたって露出したリング状をなす。
【００３３】
板部材９１〜９３は、大径部１３ｂの深さ方向に配列されている。第１極用板部材９１と第２極用板部材９２の間、及び第２極用板部材９２と第３極用板部材９３の間には、それぞれ第２横壁部１７を構成する、絶縁性の樹脂が介在している。これにより、板部材９１〜９３の相互間の絶縁が実現されている。
【００３４】
上述した第１導線群７０は、第１極用導線７１、第２極用導線７２、及び第３極用導線７３で構成されている。第１極用導線７１は第１極用板部材９１に、第２極用導線７２は第２極用板部材９２に、第３極用導線７３は第３極用板部材９３に、それぞれ接続されている。
【００３５】
また、第２導線群８０も、第１導線群７０と同様に、第１極用導線８１、第２極用導線８２、及び第３極用導線８３で構成されている。第１極用導線８１は第１極用板部材９１に、第２極用導線８２は第２極用板部材９２に、第３極用導線８３は第３極用板部材９３に、それぞれ接続されている。
【００３６】
そして、第１導線群７０と板部材９１〜９３とによって、一端部が貫通孔１３の内面に露出し、他端部が図２に示す第１骨伝導スピーカ５０に接続された導電性部材が構成されている。また、第２導線群８０と板部材９１〜９３とによっても、一端部が貫通孔１３の内面に露出し、他端部が図２に示す第２骨伝導スピーカ６０に接続されたもう１つの導電性部材が構成されている。
【００３７】
次に、図１に示した栓部材４０について、図４〜図６を参照して説明する。
【００３８】
図４に示すように、栓部材４０は、円筒状の基部４１と、基部４１の一端面から突出した雄端子部としてのプラグ部４２と、基部４１の他端面からプラグ部４２とは反対向きに突出したつまみ部４３とを有する。つまみ部４３は、Ｕ字状をなす。プラグ部４２とつまみ部４３は、基部４１の高さ方向と平行な方向に突出している。
【００３９】
図５（Ａ）に示すように、基部４１は、貫通孔１３の大径部１３ｂと嵌合する。プラグ部４２は、貫通孔１３の小径部１３ａを貫いて、図１及び図２に示すスマートフォンＳＭのイヤホンジャックＥＪと嵌合する。なお、図５（Ａ）では、理解を容易にする為に、図１に示した蓋体２０の図示を省略している。
【００４０】
図５（Ｂ）に示すように、栓部材４０は、蓋体２０の貫通孔２３を介して、収容体１０とスマートフォンＳＭに挿入される。栓部材４０が収容体１０とスマートフォンＳＭに完全に挿入されたとき、つまみ部４３が、カバー本体３０の側面から突出した状態となる。
【００４１】
ユーザは、つまみ部４３をつまんで、栓部材４０を抜き差しすることができる。具体的には、ユーザは、つまみ部４３を用いて、栓部材４０を収容体１０とイヤホンジャックＥＪに嵌合させることができると共に、栓部材４０を収容体１０とイヤホンジャックＥＪから抜去することができる。
【００４２】
図４に戻って説明を続ける。栓部材４０のプラグ部４２は、プラグ部４２の先端に位置する第１極用コンタクト４２ｔと、プラグ部４２の根元に位置する第３極用コンタクト４２ｓと、第１極用コンタクト４２ｔと第３極用コンタクト４２ｓとの間に位置する第２極用コンタクト４２ｒとを有する。第１極用コンタクト４２ｔ、第２極用コンタクト４２ｒ、及び第３極用コンタクト４２ｓは、いずれも導電性を有する。
【００４３】
また、プラグ部４２は、第１極用コンタクト４２ｔと第２極用コンタクト４２ｒの間に介在する絶縁部４２ａと、第２極用コンタクト４２ｒと第３極用コンタクト４２ｓの間に介在する絶縁部４２ｂとを有する。絶縁部４２ａ及び４２ｂは、いずれも樹脂よりなる。
【００４４】
基部４１は、プラグ部４２に繋がれた一端面から、つまみ部４３に繋がれた他端面に向かって、第１極用導通部４１ｔ、絶縁部４１ａ、第２極用導通部４１ｒ、絶縁部４１ｂ、第３極用導通部４１ｓ、及び絶縁部４１ｃがこの順に配置された構成を有する。また、基部４１は、第１極用導通部４１ｔと、プラグ部４２の第３極用コンタクト４２ｓとの間に介在する絶縁部４１ｄを有する。
【００４５】
第１極用導通部４１ｔ、第２極用導通部４１ｒ、及び第３極用導通部４１ｓは、いずれも導電性を有しており、円筒状の基部４１の側面に全周にわたって露出している。絶縁部４１ａ、４１ｂ、４１ｃ、及び４１ｄは、樹脂よりなる。
【００４６】
栓部材４０の内部において、プラグ部４２の第１極用コンタクト４２ｔは、基部４１の第１極用導通部４１ｔに導通している。また、プラグ部４２の第２極用コンタクト４２ｒは、基部４１の第２極用導通部４１ｒに導通している。また、プラグ部４２の第３極用コンタクト４２ｓは、基部４１の第３極用導通部４１ｓに導通している。
【００４７】
図６に示すように、基部４１が大径部１３ｂと嵌合したとき、第１極用導通部４１ｔが第１極用板部材９１に接触してこれと導通し、第２極用導通部４１ｒが第２極用板部材９２に接触してこれと導通し、第３極用導通部４１ｓが第３極用板部材９３に接触してこれと導通した状態となる。
【００４８】
なお、このとき、第１極用導通部４１ｔと第１極用板部材９１、第２極用導通部４１ｒと第２極用板部材９２、及び第３極用導通部４１ｓと第３極用板部材９３は、それぞれ大径部１３ｂの内面の周方向に関して全周にわたって接触し合う。
【００４９】
また、基部４１が大径部１３ｂと嵌合したとき、プラグ部４２がスマートフォンＳＭのイヤホンジャックＥＪと嵌合する。
【００５０】
イヤホンジャックＥＪは、プラグ部４２が挿入される凹部ＥＪａと、それぞれ凹部ＥＪａの内面に一部が露出した第１極用コンタクトＥＪｔ、第２極用コンタクトＥＪｒ、及び第３極用コンタクトＥＪｓとを有する。第１極用コンタクトＥＪｔと第２極用コンタクトＥＪｒは、例えば音声を表す電気信号の出力に用いられ、第３極用コンタクトＥＪｓは、例えばグランドに用いられる。
【００５１】
プラグ部４２が凹部ＥＪａと嵌合したとき、プラグ部４２の第１極用コンタクト４２ｔがイヤホンジャックＥＪの第１極用コンタクトＥＪｔに接触してこれと導通し、プラグ部４２の第２極用コンタクト４２ｒがイヤホンジャックＥＪの第２極用コンタクトＥＪｒに接触してこれと導通し、プラグ部４２の第３極用コンタクト４２ｓがイヤホンジャックＥＪの第３極用コンタクトＥＪｓに接触してこれと導通する。
【００５２】
この結果、イヤホンジャックＥＪの第１極用コンタクトＥＪｔ、第２極用コンタクトＥＪｒ、及び第３極用コンタクトＥＪｓから、栓部材４０及び板部材９１〜９３を介して、図２に示した第１骨伝導スピーカ５０及び第２骨伝導スピーカ６０に至る電気信号の伝送路が構成される。
【００５３】
スマートフォンＳＭは、イヤホンジャックＥＪの第１極用コンタクトＥＪｔ、第２極用コンタクトＥＪｒ、及び第３極用コンタクトＥＪｓが、他の部材と導通したことを検出すると、スマートフォンＳＭに元々備わっている図示せぬ内蔵素子としてのスピーカに出力する電気信号を、イヤホンジャックＥＪの第１極用コンタクトＥＪｔ、第２極用コンタクトＥＪｒ、及び第３極用コンタクトＥＪｓを通じて外部に出力する。
【００５４】
この結果、スマートフォンＳＭから、図２に示した第１骨伝導スピーカ５０と第２骨伝導スピーカ６０に電気信号が出力され、第１骨伝導スピーカ５０と第２骨伝導スピーカ６０が作動する。このように、栓部材４０を、カバー本体３０及びイヤホンジャックＥＪに嵌合させることで、第１骨伝導スピーカ５０と第２骨伝導スピーカ６０を活用できる。
【００５５】
一方、栓部材４０を、カバー本体３０及びイヤホンジャックＥＪから抜去すると、イヤホンジャックＥＪと、板部材９１〜９３との導通が断たれる。スマートフォンＳＭは、イヤホンジャックＥＪと他の部材との導通が断たれたことを検出すると、イヤホンジャックＥＪを通じた電気信号の外部出力を停止し、スマートフォンＳＭに元々備わっている図示せぬ内蔵素子としてのスピーカに電気信号を出力する。
【００５６】
この為、内蔵素子としてのスピーカが作動可能となる。以上のように、本実施形態によれば、栓部材４０を、カバー本体３０及びイヤホンジャックＥＪから抜去することで、カバー本体３０をスマートフォンＳＭに取り付けたまま、スマートフォンＳＭに元々備わっている内蔵素子としてのスピーカを活用することができる。
【００５７】
また、栓部材４０を抜去したとき、イヤホンジャックＥＪが、貫通孔１３を介して外部に露出するので、イヤホンジャックＥＪに、イヤホン等の外部機器に接続されたイヤホンプラグを挿入することもできる。これにより、スマートフォンＳＭがその外部機器に電気信号を出力する状態となり、その外部機器を活用することもできる。
【００５８】
図７（Ａ）及び（Ｂ）に示すように、イヤホンプラグＥＰが、貫通孔１３を介して、イヤホンジャックＥＪに挿入されたとき、イヤホンプラグＥＰの胴部ＥＰａと、貫通孔１３の大径部１３ｂの内面とに隙間Ｇが確保される。
【００５９】
つまり、イヤホンプラグＥＰは、板部材９１〜９３には導通しない。この為、イヤホンプラグＥＰに接続された外部機器に出力すべき電気信号が、第１骨伝導スピーカ５０及び第２骨伝導スピーカ６０に出力されてしまうことがなく、外部機器を適切に作動させることができる。
【００６０】
また、隙間Ｇが確保されるので、イヤホンジャックＥＪへのイヤホンプラグＥＰの挿入に際し、カバー本体３０が邪魔にならないと共に、胴部ＥＰａの外径が大径部１３ｂの内径以下である種々のイヤホンプラグＥＰの使用に対応できる汎用性が得られる。
【００６１】
なお、イヤホンプラグＥＰの胴部ＥＰａが大径部１３ｂの内面に接する場合であっても、胴部ＥＰａの外面が絶縁性の素材、例えば樹脂で形成されていれば、イヤホンプラグＥＰと板部材９１〜９３との導通を回避できる。
【００６２】
以上、本発明の一実施形態について説明したが、本発明はこれに限られない。例えば、以下に述べる変形も可能である。
【００６３】
上記実施形態では、収容体１０において、第１極用導線７１及び８１が第１極用板部材９１に、第２極用導線７２及び８２が第２極用板部材９２に、第３極用導線７３及び８３が第３極用板部材９３に、それぞれ接続されていたが、これに限られるものではない。
【００６４】
また、収容体１０は、第１極用板部材９１、第２極用板部材９２、及び第３極用板部材９３を備えなくてもよい。即ち、第１導線群７０と第２導線群８０とが、栓部材４０と接触するようにしてもよい。この場合、まず、第１極用板部材９１、第２極用板部材９２、及び第３極用板部材９３を収容体１０から取り外す。そして、第１極用導線７１及び８１を第１極用板部材９１があった位置まで伸ばし、第２極用導線７２及び８２を第２極用板部材９２があった位置まで伸ばし、第３極用導線７３及び８３を第３極用板部材９３があった位置まで伸ばせばよい。この構成により、第１極用導線７１及び８１が第１極用導通部４１ｔに、第２極用導線７２及び８２が第２極用導通部４１ｒに、第３極用導線７３及び８３が第３極用導通部４１ｓに、それぞれ直接的に接触する。この為、第１極用板部材９１、第２極用板部材９２、及び第３極用板部材９３が不要となる。
【００６５】
上記実施形態では、スマートフォンＳＭの外部端子が３極のイヤホンジャックＥＪである場合を例示したが、イヤホンジャックＥＪとプラグ部４２は、２極のものであってもよいし、４極以上の多極のものであってもよい。イヤホンジャックＥＪとプラグ部４２の極数に対応した数の板部材及び導線を用いて、導電性部材を構成できる。
【００６６】
また、スマートフォンＳＭの外部端子及びこれと導通する相手端子としてのプラグ部４２は、イヤホン端子に限られず、例えば、マイクロＵＳＢ端子を含むＵＳＢ（Universal Serial Bus）端子、アップル（apple）社製のLightning（ライトニング）端子、ＨＤＭＩ（登録商標）（High-Definition Multimedia Interface）端子やＤＶ（Digital Video）端子を含むＡＶ（Audio Visual）端子、又はＶＧＡ（Video Graphics Array）端子等であってもよい。さらに、外部端子と相手端子は、互いに導通可能であれば、こういった既存の端子に限られず、新たに設けた端子であってもよい。また、上記実施例では、外部端子を雌端子（ジャック）とし、相手端子を雄端子（プラグ）としたが、逆に外部端子が雄端子であり、相手端子が雌端子であってもよい。
【００６７】
上記実施形態では、外付け素子が、圧電型振動素子である場合を例示したが、外付け素子は、電子機器が出力する電気信号に基づいて作動可能なものであれば特に限定されない。外付け素子は、圧電型振動素子の他、例えば、磁石とコイルとを含み、ローレンツ力による磁石とコイルとの相対運動によって振動する電磁型の振動素子であってもよい。また、外付け素子は、例えば、発光ダイオード等の発光素子、ペルティエ素子、電子機器を制御可能な制御素子、電磁波を送受信可能なアンテナ素子、若しくは物理量を検出するセンサ素子、又はこれらの組み合わせであってもよい。
【００６８】
また、外付け素子によって構成される機器も特に限定されない。発光素子によれば、例えば着信を発光で知らせるアクセサリを構成できる。電磁型振動素子によれば、例えば骨伝導スピーカを構成できる。センサ素子としての紫外線センサ素子によれば、例えば紫外線量を計測する紫外線チェッカを構成できる。制御素子によれば、例えばスマートフォンが内蔵するカメラのシャッタを切るスイッチを構成できる。アンテナ素子としてＦＭ波を送信可能なものを用いれば、例えばＦＭトランスミッタを構成できる。
【００６９】
上記実施形態では、電子機器がスマートフォンである場合を例示したが、電子機器は、例えば、スマートフォン以外の携帯電話、ＰＨＳ（Personal Handy-phone System）、ＰＤＡ（Personal Digital Assistant）、タブレット端末、携帯ゲーム機、デジタルカメラ、ビデオカメラ、電子手帳、電子辞書、電子ブックリーダ、携帯音楽プレーヤ、ＩＣレコーダ、ポータブルＤＶＤプレーヤ、ノートパソコン、携帯ラジオ、携帯テレビ等であってもよい。
【００７０】
上記実施形態では、カバー本体３０が樹脂製である場合を例示したが、カバー本体３０の素材は特に限定されない。カバー本体３０は、例えば、アルミニウムやステンレス等の金属や、シリコーンゴム等のゴムで形成することもできる。また、カバー本体３０を、シリコーンゴム等の変形自在な柔軟性を有する素材で形成する場合は、カバー本体３０を複数の部材、具体的には収容体１０と蓋体２０とに分けて構成せずに一体のものとし、電子機器に被せるようにして取り付けることも可能である。
【００７１】
上記実施形態では、収容体１０は、平面視で略矩形であったが、これに限られるものではない。収容体１０の形状は、特に限定されず、平面視で例えば、楕円形、円形であってもよく、動物或いはキャラクター等を模った形状であってもよい。
【００７２】
上記実施形態では、蓋体２０が、スマートフォンＳＭの表示画面を外部から視認するための透明部２１を備えていたが、これに限られるものではない。蓋体２０は、透明部２１を備えず、スマートフォンＳＭの表示画面を外部に露出させるものでもよい。
【００７３】
上記実施形態では、栓部材４０が円筒状の基部４１を備えていたが、基部４１の形状はこれに限られるものではない。基部４１の形状は、特に限定されず、例えば、三角柱状、四角柱状、多角柱状であっても、或いは、楕円柱状、更には、断面を星型とする柱状であってもよい。なお、基部４１の形状が例えば楕円柱状である場合、その基部４１に接触する第１極用板部材９１、第２極用板部材９２および第３極用板部材９３は、その内側の形状が楕円形状である。
【００７４】
上記実施形態では、プラグ部４２において、第１極用コンタクト４２ｔが第１極用導通部４１ｔに導通し、第２極用コンタクト４２ｒが第２極用導通部４１ｒに導通し、第３極用コンタクト４２ｓが第３極用導通部４１ｓに導通していたが、これに限られるものではない。これらの導通の組み合わせは特に限定されず、例えば、第１極用コンタクト４２ｔが第２極用導通部４１ｒに導通し、第２極用コンタクト４２ｒが第３極用導通部４１ｓに導通し、第３極用コンタクト４２ｓが第１極用導通部４１ｔに導通する構成のプラグ部４２であってもよい。
【００７５】
上記実施形態では、第１極用導通部４１ｔと第１極用板部材９１、第２極用導通部４１ｒと第２極用板部材９２、及び第３極用導通部４１ｓと第３極用板部材９３は、それぞれ大径部１３ｂの内面の周方向に関して全周にわたって接触し合ったが、これに限られるものではない。これらの接触は特に限定されず、例えば、大径部１３ｂの内面の周方向に関して、１箇所で接触し合っても、或いは複数個所で接触し合ってもよい。
【００７６】
複数個所での接触を栓部材４０で実現する場合、第１極用導通部４１ｔ、第２極用導通部４１ｒ、及び第３極用導通部４１ｓの断面は、円形ではなく、例えば、十字状であればよい。一方、複数個所での接触を収容体１０で実現する場合、第１極用板部材９１、第２極用板部材９２、及び第３極用板部材９３の断面は、リング状ではなく、例えば、歪曲した帯状の複数の部材が、大径部１３ｂの内面の周方向に関して、離間して配置された形状であればよい。
【００７７】
この他、カバー本体３０及び栓部材４０に、電子機器を水から保護する防水機能、電子機器に加わる衝撃を低減する緩衝機能、又は電子機器に加わる圧力を低減する耐圧機能といった種々の機能を付加してもよいことは勿論である。
【００７８】
本発明は、その広義の精神と範囲を逸脱することなく、様々な実施形態及び変形が可能とされる。上記実施形態は、本発明を説明する為のものであり、本発明の範囲を限定するものではない。本発明の範囲は、実施形態ではなく、請求の範囲によって示される。請求の範囲内及びそれと同等の発明の意義の範囲内で施される様々な変形が、本発明の範囲内とみなされる。
【符号の説明】
【００７９】
１０…収容体、１１…窪み部、１２…穴部、１３…貫通孔、１３ａ…小径部、１３ｂ…大径部、１４…第１縦壁部、１５…第２縦壁部、１６…第１横壁部、１７…第２横壁部、２０…蓋体、２１…透明部、２２…爪、２３…貫通孔、３０…カバー本体、４０…栓部材、４１…基部、４１ａ，４１ｂ，４１ｃ，４１ｄ…絶縁部、４１ｔ…第１極用導通部、４１ｒ…第２極用導通部、４１ｓ…第３極用導通部、４２…プラグ部（雄端子部）、４２ａ，４２ｂ…絶縁部、４２ｔ…第１極用コンタクト、４２ｓ…第３極用コンタクト、４２ｒ…第２極用コンタクト、４３…つまみ部、５０…第１骨伝導スピーカ（外付け素子）、６０…第２骨伝導スピーカ（外付け素子）、７０…第１導線群（導電性部材）、７１…第１極用導線、７２…第２極用導線、７３…第３極用導線、８０…第２導線群（導電性部材）、８１…第１極用導線、８２…第２極用導線、８３…第３極用導線、９１…第１極用板部材（導電性部材）、９２…第２極用板部材（導電性部材）、９３…第３極用板部材（導電性部材）、１００…スマートフォン用カバー部材（電子機器用カバー部材）、ＳＭ…スマートフォン（電子機器）、ＥＪ…イヤホンジャック（外部端子）、ＥＪａ…凹部、ＥＪｔ…第１極用コンタクト、ＥＪｒ…第２極用コンタクト、ＥＪｓ…第３極用コンタクト、ＥＰ…イヤホンプラグ、ＥＰａ…胴部、Ｇ…隙間。
【図１】
2018014576.tif 000003
【図２】
2018014576.tif 000004
【図３】
2018014576.tif 000005
【図４】
2018014576.tif 000006
【図５】
2018014576.tif 000007
【図６】
2018014576.tif 000008
【図７】
2018014576.tif 000009